【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
少なくとも１つの売買可能な証券についての過去の時間に関連する取引データに関連する、少なくとも１つの「データフィード」のリアルタイム変換に関するコンピュータ手法であって、
ａ）少なくとも１のコンピュータにより、前記少なくとも１つの売買可能な証券についての過去の時間に関連する取引データを受信するステップと、
ｂ）少なくとも１のコンピュータにより、少なくとも１つの複数時間枠について、前記過去の時間に関連する取引データを用いて、前記少なくとも１つの売買可能な証券を売る過去の集合的な要求を表わす少なくとも１つの第１の時間に関連する値を、少なくとも１つの第１の計算として計算するステップと、
ｃ）少なくとも１のコンピュータにより、前記少なくとも１つの複数時間枠について、前記過去の時間に関連する取引データを用いて、前記少なくとも１つの売買可能な証券を買う過去の集合的な要求を表わす少なくとも１つの第２の時間に関連する値を、少なくとも１つの第２の計算として計算するステップとを含み、
ｄ）前記少なくとも１つの複数時間枠は、少なくとも１分から少なくとも１年までの、それぞれが互いに時間長の実質的に異なる離散的な期間を含み、
ｅ）少なくとも１のコンピュータにより、前記少なくとも１つの売買可能な証券を売る過去の集合的な要求と、前記少なくとも１つの売買可能な証券を買う前記過去の集合的な要求とを比較して、前記少なくとも１つの複数時間枠の中の、少なくとも１つの時間枠について、買う前記過去の集合的な要求と売る前記過去の集合的な要求との間で、少なくとも１つの「大小関係」の第１の決定をするステップと、
ｆ）少なくとも１のコンピュータにより、少なくとも１つの前の時間枠において、前記少なくとも１つの売買可能な証券を売る過去の集合的な要求と、前記少なくとも１つの売買可能な証券を買う前記過去の集合的な要求とを比較して、前記少なくとも１つの複数時間枠の中の、少なくとも１つの時間枠について、買う前記過去の集合的な要求と売る前記過去の集合的な要求との間で、少なくとも１つの「大小関係」の第２の決定をするステップと、
ｇ）少なくとも１のコンピュータにより、前記第１の決定と前記第２の決定とを比較するステップと、
ｈ）少なくとも１のコンピュータにより、前記第１の決定と前記第２の決定との間の前記「大小関係」の任意のリバーサル（reversal）を識別するステップと、
ｉ）少なくとも１のコンピュータにより、識別した前記リバーサルの各々について、前記少なくとも１つの売買可能な証券のための少なくとも１セットの買い／売りインジケータを生成するステップと、
ｊ）少なくとも１のコンピュータにより、前記少なくとも１つの時間枠について、前記少なくとも１つの第１の時間に関連する値の少なくとも１つの第１の図形表現を生成するステップと、
ｋ）少なくとも１のコンピュータにより、前記少なくとも１つの時間枠について、前記少なくとも１つの第２の時間に関連する値の少なくとも１つの第２の図形表現を生成するステップとをさらに含み、
ｌ）前記少なくとも１つの第１の図形表現および前記少なくとも１つの第２の図形表現は、少なくとも１のコンピュータにより、少なくとも１つの比較分析チャート内で一緒に提示され、
ｍ）前記図形表現を提供する前記少なくとも１つの「データフィード」のリアルタイム変換が達成され、
ｎ）少なくとも１のコンピュータにより、前記少なくとも１つの売買可能な証券を売る前記過去の集合的な要求と、前記少なくとも１つの売買可能な証券を買う前記過去の集合的な要求とを比較して、前記少なくとも１つの複数時間枠の、少なくとも１つの複数期間について、少なくとも１つの「大小関係」を判定するステップと、
ｏ）少なくとも１のコンピュータにより、前記少なくとも１つの複数時間枠の、前記少なくとも１つの複数期間の各々について、前記比較の結果を提示するステップと、
ｐ）少なくとも１のコンピュータにより、前記「大小関係」の前記少なくとも１つのリバーサルが少なくとも２つの前記離散的な期間内に生じる場合に、少なくとも１つの通知を提示するステップとをさらに含むこと
を特徴とするコンピュータ手法。
【請求項２】
ａ）少なくとも１のコンピュータにより、前記少なくとも１つの時間枠について、少なくとも１つの第３の時間に関連する値を計算するステップと、
ｂ）前記少なくとも１つの第３の時間に関連する値は、前記少なくとも１つの時間枠について、前記少なくとも１つの売買可能な証券に払われた少なくとも１つの最安値に基づき、
ｃ）少なくとも１のコンピュータにより、前記少なくとも１つの時間枠について、少なくとも１つの第４の時間に関連する値を計算するステップと、
ｄ）前記少なくとも１つの第４の時間に関連する値は、前記少なくとも１つの時間枠について、前記少なくとも１つの売買可能な証券に払われた少なくとも１つの最高値に基づき、
ｅ）少なくとも１のコンピュータにより、前記少なくとも１つの時間枠について、前記少なくとも１つの第３の時間に関連する値の少なくとも１つの第３の図形表現を生成するするステップと、
ｆ）少なくとも１のコンピュータにより、前記少なくとも１つの時間枠について、前記少なくとも１つの第４の時間に関連する値の少なくとも１つの第４の図形表現を生成するするステップとをさらに含み、
ｇ）前記少なくとも１つの第３の図形表現および前記少なくとも１つの第４の図形表現は、前記少なくとも１つの比較分析チャート上の前記少なくとも１つの第１の図形表現および前記少なくとも１つの第２の図形表現とともに、それぞれコンピュータで提供されること
を特徴とする請求項１に記載のコンピュータ手法。
【請求項３】
ａ）前記少なくとも１つの時間枠について、前記少なくとも１つの売買可能な証券の変動率を表わす少なくとも１つの第５の時間に関連する値をコンピュータで計算するステップと、
ｂ）前記少なくとも１つの第５の時間に関連する値は、前記少なくとも１つの時間枠について、前記少なくとも１つの売買可能な証券に支払われた価格の少なくとも１つの範囲に基づき、
ｃ）前記少なくとも１つの時間枠について、前記少なくとも１つの第５の時間に関連する値の少なくとも１つの第５の図形表現をコンピュータで生成するステップと、
ｄ）少なくとも１つの変動率チャート内に前記少なくとも１つの第５の図形表現をコンピュータで提示するステップと、
ｅ）前記少なくとも１つの変動率チャートを前記少なくとも１つの比較分析チャートと共にコンピュータで提示するステップと
をさらに含む請求項２に記載のコンピュータ手法。
【請求項４】
過去の時間に関連する取引データは少なくとも、
ａ）前記少なくとも１つの時間枠についての前記少なくとも１つの売買可能な証券のための最高値と、
ｂ）前記少なくとも１つの時間枠についての前記少なくとも１つの売買可能な証券のための最安値と、
ｃ）前記少なくとも１つの時間枠についての前記少なくとも１つの売買可能な証券のための始値と、
ｄ）前記少なくとも１つの時間枠についての前記少なくとも１つの売買可能な証券のための終値と
を含む請求項２に記載のコンピュータ手法。
【請求項５】
ａ）前記少なくとも１つの第１の時間に関連する値は、前記少なくとも１つの時間枠についての前記少なくとも１つの売買可能な証券のために少なくとも前記終値を用いる前記少なくとも１つの第１の計算に基づき、
ｂ）前記少なくとも１つの第２の時間に関連する値は、前記少なくとも１つの時間枠についての前記少なくとも１つの売買可能な証券のために少なくとも前記終値を用いる前記少なくとも１つの第２の計算に基づくこと
を特徴とする請求項４に記載のコンピュータ手法。
【請求項６】
前記少なくとも１セットの買い／売りインジケータは、
ａ）少なくとも１つの売りインジケータと、
ｂ）少なくとも１つの買いインジケータと
を含む請求項１に記載のコンピュータ手法。
【請求項７】
ａ）前記少なくとも１つの第１の時間に関連する値が前記少なくとも１つの第２の時間に関連する値より大きい場合に、前記少なくとも１つの比較分析チャート上に前記少なくとも１つの売りインジケータをコンピュータで提示するステップと、
ｂ）前記少なくとも１つの第２の時間に関連する値が、少なくとも１つの時間枠についての前記少なくとも１つの第１の時間に関連する値より大きい場合に、前記少なくとも１つの比較分析チャート上に前記少なくとも１つの買いインジケータをコンピュータで提示するステップと
をさらに含む請求項６に記載のコンピュータ手法。
【請求項８】
ａ）前記少なくとも１つの複数時間枠内の、少なくとも２つの時間枠を同時にコンピュータで評価するステップと、
ｂ）実質的にリアルタイムで、前記少なくとも１つの複数時間枠の各時間枠内で、少なくとも相場が弱気動向と強気動向の何れであるのか、任意の過去の時間に関連する取引動向をコンピュータで計算するステップと、
ｃ）前記各時間枠における前記取引動向の各計算と、前記各時間枠より以前の少なくとも１つの時間枠における少なくとも１つの取引動向とをコンピュータで比較するステップと、
ｄ）前記取引動向（弱気か強気か）の変動を含む任意の前記比較の少なくとも１つの通知をコンピュータで提示するステップと
をさらに含む請求項１に記載のコンピュータ手法。
【請求項９】
ａ）前記以前の時間枠の各々は、前記時間枠の各々と比較して、前記時間枠の各々と等しい長さで、時間上で隣接する、少なくとも１つの時間枠を含むこと
を特徴とする請求項８に記載のコンピュータ手法。
【請求項１０】
前記「大小関係」の前記少なくとも１つのリバーサルが、少なくとも３つの前記離散的な期間内に生じる場合に、少なくとも１つの通知を自動的にコンピュータで提示するステップをさらに含む請求項１に記載のコンピュータ手法。
【請求項１１】
前記「大小関係」の前記少なくとも１つのリバーサルが、少なくとも４つの前記離散的な期間内に生じる場合に、少なくとも１つの通知を自動的にコンピュータで提示するステップをさらに含む請求項１に記載のコンピュータ手法。
【請求項１２】
ａ）少なくとも１つの他のチャートと一緒に提示するための前記「大小関係」の前記少なくとも１つのリバーサルの発生を表わす少なくとも１つの第１のシンボルをコンピュータで生成するステップと、
ｂ）前記少なくとも１つの他のチャートと一緒に提示するための前記「大小関係」を表わす少なくとも１つの第２のシンボルをコンピュータで生成するステップと、
ｃ）前記少なくとも１つの他のチャートと一緒に提示するための少なくとも３つの前記離散的な期間における前記「大小関係」の少なくとも１つのリバーサルの発生を表わす前記少なくとも１つの第３のシンボルをコンピュータで生成するステップと、
ｄ）前記少なくとも１つの他のチャートと一緒に提示するための少なくとも４つの前記離散的な期間における前記「大小関係」の少なくとも１つのリバーサルの発生を表わす前記少なくとも１つの第４のシンボルをコンピュータで生成するステップと
をさら含む請求項１に記載のコンピュータ手法。
【請求項１３】
少なくとも１人のトレーダーによって、少なくとも１つの売買可能な証券を売買することと関係する意志決定を支援することに関連するコンピュータリアルタイム解析システムであって、
ａ）実質的にリアルタイムで、前記少なくとも１つの売買可能な証券についての過去の時間に関連する取引データを受信するのに適した少なくとも１つのコンピュータプロセッサと、
ｂ）実質的にリアルタイムで、少なくとも１つの複数時間枠について、前記過去の時間に関連する取引データを用いて、前記少なくとも１つの売買可能な証券を売る過去の集合的な要求を表わす少なくとも１つの第１の時間に関連する値を、少なくとも１つの第１の計算として計算するのに適した少なくとも１つのコンピュータプロセッサと、
ｃ）実質的にリアルタイムで、前記少なくとも１つの複数時間枠について、前記過去の時間に関連する取引データを用いて、前記少なくとも１つの売買可能な証券を買う過去の集合的な要求を表わす少なくとも１つの第２の時間に関連する値を、少なくとも１つの第２の計算として計算するのに適した少なくとも１つのコンピュータプロセッサと、
ｄ）前記少なくとも１つの複数時間枠は、少なくとも１分から少なくとも１年までの、それぞれが互いに時間長の実質的に異なる離散的な期間を含み、
ｅ）実質的にリアルタイムで、前記少なくとも１つの売買可能な証券を売る過去の集合的な要求と、前記少なくとも１つの売買可能な証券を買う前記過去の集合的な要求とを比較して、前記少なくとも１つの複数時間枠の中の、少なくとも１つの時間枠について、買う前記過去の集合的な要求と売る前記過去の集合的な要求との間で、少なくとも１つの「大小関係」の第１の決定をするのに適した少なくとも１つのコンピュータプロセッサと、
ｆ）少なくとも１つの前の時間枠において、前記少なくとも１つの売買可能な証券を売る過去の集合的な要求と、前記少なくとも１つの売買可能な証券を買う前記過去の集合的な要求とを比較して、前記少なくとも１つの複数時間枠の中の、少なくとも１つの時間枠について、買う前記過去の集合的な要求と売る前記過去の集合的な要求との間で、少なくとも１つの「大小関係」の第２の決定をするのに適した少なくとも１つのコンピュータプロセッサと、
ｇ）前記第１の決定と前記第２の決定とを比較するのに適した少なくとも１つのコンピュータプロセッサと、
ｈ）前記第１の決定と前記第２の決定との間の前記「大小関係」の任意のリバーサルを識別するのに適した少なくとも１つのコンピュータプロセッサと、
ｉ）実質的にリアルタイムで、識別した前記リバーサルの各々について、前記少なくとも１つの売買可能な証券のための少なくとも１セットの買い／売りインジケータを生成するのに適した少なくとも１つのコンピュータプロセッサと、
ｊ）前記少なくとも１つの時間枠について、前記少なくとも１つの第１の時間に関連する値の少なくとも１つの第１の図形表現を生成するのに適した少なくとも１つのコンピュータプロセッサと、
ｋ）前記少なくとも１つの時間枠について、前記少なくとも１つの第２の時間に関連する値の少なくとも１つの第２の図形表現を生成するのに適した少なくとも１つのコンピュータプロセッサと、
ｌ）比較分析に関する少なくとも１つのシステムを与える少なくとも１つの比較分析チャート内に、前記少なくとも１つの第１の図形表現および前記少なくとも１つの第２の図形表現を一緒に表示するのに適した少なくとも１つのコンピュータプロセッサと、
ｍ）前記少なくとも１つの売買可能な証券を売る前記過去の集合的な要求と、前記少なくとも１つの売買可能な証券を買う前記過去の集合的な要求とを自動的に比較して、前記少なくとも１つの複数時間枠の、少なくとも１つの複数期間について、少なくとも１つの「大小関係」を判定するのに適した少なくとも１つのコンピュータプロセッサと、
ｎ）前記少なくとも１つの複数時間枠の、少なくとも１つの複数期間の各々について、前記比較の前記結果を、前記少なくとも１人のトレーダーに自動的に通知するのに適した少なくとも１つのコンピュータプロセッサと、
ｏ）前記「大小関係」の前記少なくとも１つのリバーサルが少なくとも２つの前記離散的な期間内に生じる場合に、前記少なくとも１人のトレーダーに自動的に通知するのに適した少なくとも１つのコンピュータプロセッサと
を備えるコンピュータリアルタイム解析システム。
【請求項１４】
ａ）前記少なくとも１つの時間枠について、少なくとも１つの第３の時間に関連する値を計算するのに適した少なくとも１つのコンピュータプロセッサと、
ｂ）前記少なくとも１つの第３の時間に関連する値は、前記少なくとも１つの時間枠について、前記少なくとも１つの売買可能な証券に払われた少なくとも１つの最安値に基づき、
ｃ）前記少なくとも１つの１時間枠について、少なくとも１つの第４の時間に関連する値を計算するのに適した少なくとも１つのコンピュータプロセッサと、
ｄ）前記少なくとも１つの第４の時間に関連する値は、前記少なくとも１つの時間枠について、前記少なくとも１つの売買可能な証券に払われた少なくとも１つの最高値に基づき、
ｅ）前記少なくとも１つの時間枠について前記少なくとも１つの第３の時間に関連する値の少なくとも１つの第３の図形表現を生成するのに適した少なくとも１つのコンピュータプロセッサと、
ｆ）前記少なくとも１つの時間枠について前記少なくとも１つの第４の時間に関連する値の少なくとも１つの第４の図形表現を生成するのに適した少なくとも１つのコンピュータプロセッサと、
ｇ）前記少なくとも１つの第３の図形表現および前記少なくとも１つの第４の図形表現を、前記少なくとも１つの比較分析チャート上に一緒に表示するのに適した少なくとも１つのコンピュータプロセッサと
をさらに含む請求項１３に記載のコンピュータリアルタイム解析システム。
【請求項１５】
ａ）前記少なくとも１つの時間枠について、前記少なくとも１つの売買可能な証券の変動率を表わす少なくとも１つの第５の時間に関連する値を計算するのに適した少なくとも１つのコンピュータプロセッサと、
ｂ）前記少なくとも１つの第５の時間に関連する値は、前記少なくとも１つの時間枠について前記少なくとも１つの売買可能な証券に支払われた価格の少なくとも１つの範囲に基づき、
ｃ）前記少なくとも１つの時間枠について、前記少なくとも１つの第５の時間に関連する値の少なくとも１つの第５の図形表現を生成するのに適した少なくとも１つのコンピュータプロセッサと、
ｄ）少なくとも１つの変動率チャート内に前記少なくとも１つの第５の図形表現を表示するのに適した少なくとも１つのコンピュータプロセッサと、
ｅ）前記少なくとも１つの変動率チャートを前記少なくとも１つの比較分析チャートと共に表示するのに適した少なくとも１つのコンピュータプロセッサと
をさらに含む請求項１３に記載のコンピュータリアルタイム解析システム。
【請求項１６】
前記少なくとも１つの時間に関連する過去の取引データは少なくとも、
ａ）前記少なくとも１つの時間枠についての前記少なくとも１つの売買可能な証券のための最高値と、
ｂ）前記少なくとも１つの時間枠についての前記少なくとも１つの売買可能な証券のための最安値と、
ｃ）前記少なくとも１つの時間枠についての前記少なくとも１つの売買可能な証券のための始値と、
ｄ）前記少なくとも１つの時間枠についての前記少なくとも１つの売買可能な証券のための終値と
を含む請求項１３に記載のコンピュータリアルタイム解析システム。
【請求項１７】
ａ）前記少なくとも１つの第１の時間に関連する値は、前記少なくとも１つの時間枠についての前記少なくとも１つの売買可能な証券のために少なくとも前記終値を用いる前記少なくとも１つの第１の計算に基づき、
ｂ）前記少なくとも１つの第２の時間に関連する値は、前記少なくとも１つの時間枠についての前記少なくとも１つの売買可能な証券のために少なくとも前記終値を用いる前記少なくとも１つの第２の計算に基づくこと
を特徴とする請求項１３に記載のコンピュータリアルタイム解析システム。
【請求項１８】
前記少なくとも１セットの買い／売りインジケータは、
ａ）少なくとも１つの売りインジケータと、
ｂ）少なくとも１つの買いインジケータと
を含む請求項１３に記載のコンピュータリアルタイム解析システム。
【請求項１９】
ａ）前記少なくとも１つの第１の時間に関連する値が前記少なくとも１つの第２の時間に関連する値より大きい場合に、前記少なくとも１つの比較分析チャート上に前記少なくとも１つの売りインジケータを表示するのに適した少なくとも１つのコンピュータプロセッサと、
ｂ）前記少なくとも１つの第２の時間に関連する値が、少なくとも１つの時間枠についての前記少なくとも１つの第１の時間に関連する値より大きい場合に、前記少なくとも１つの比較分析チャート上に前記少なくとも１つの買いインジケータを表示するのに適した少なくとも１つのコンピュータプロセッサと
を含む請求項１８に記載のコンピュータリアルタイム解析システム。
【請求項２０】
ａ）前記少なくとも１つの複数時間枠内の、少なくとも２つの時間枠を同時評価するのに適した少なくとも１つのコンピュータプロセッサを含み、前記少なくとも１つの複数時間枠が、離散的な期間を含み、その各々が互いに時間長が実質的に異なり、各々が現時点で終了しており、少なくとも１分から少なくとも１年までであり、
ｂ）実質的にリアルタイムで、前記少なくとも１つの複数時間枠信号の各時間枠内で、少なくとも相場が弱気動向と強気動向の何れであるのか、任意の過去の時間に関連する取引動向を計算するのに適した少なくとも１つのコンピュータプロセッサと、
ｃ）前記各時間枠における前記取引動向の各計算と、前記各時間枠より以前の少なくとも１つの時間枠における少なくとも１つの取引動向とを比較するのに適した少なくとも１つのコンピュータプロセッサと、
ｄ）前記取引動向（弱気か強気か）の変動を含む任意の前記比較を、前記少なくとも１人のトレーダーに通知するのに適した少なくとも１つのコンピュータプロセッサと
をさらに含む請求項１３に記載のコンピュータリアルタイム解析システム。
【請求項２１】
ａ）前記以前の時間枠の各々は、前記時間枠の各々と比較して、前記時間枠の各々と等しい長さで、時間上で隣接する、少なくとも１つの時間枠を含むこと
を特徴とする請求項２０に記載のコンピュータリアルタイム解析システム。
【請求項２２】
前記「大小関係」の前記少なくとも１つのリバーサルが少なくとも３つの前記離散的な期間内に生じる場合に、前記に少なくとも１人のトレーダーに自動的に通知するのに適した少なくとも１つのコンピュータプロセッサをさらに含む請求項１３に記載のコンピュータリアルタイム解析システム。
【請求項２３】
前記「大小関係」の前記少なくとも１つのリバーサルが少なくとも４つの前記離散的な期間内に生じる場合に、前記少なくとも１人のトレーダーに自動的に通知するのに適した少なくとも１つのコンピュータプロセッサをさらに含む請求項１３に記載のコンピュータリアルタイム解析システム。
【請求項２４】
ａ）少なくとも１つの他のチャートと一緒に提示するための前記「大小関係」の前記少なくとも１つのリバーサルの発生を表わす少なくとも１つの第１のシンボルを生成するのに適した少なくとも１つのコンピュータプロセッサと、
ｂ）前記少なくとも１つの他のチャートと一緒に提示するための前記「大小関係」を表わす少なくとも１つの第２のシンボルを生成するのに適した少なくとも１つのコンピュータプロセッサと、
ｃ）前記少なくとも１つの他のチャートと一緒に提示するための少なくとも３つの前記離散的な期間内の前記「大小関係」の少なくとも１つのリバーサルの発生を表わす前記少なくとも１つの第３のシンボルを生成するのに適した少なくとも１つのコンピュータプロセッサと、
ｄ）前記少なくとも１つの他のチャートと一緒に提示するための少なくとも４つの前記離散的な期間の前記「大小関係」の少なくとも１つのリバーサルの発生を表わす前記少なくとも１つの第４のシンボルを生成するのに適した少なくとも１つのコンピュータプロセッサと
をさら含む請求項１３に記載のコンピュータリアルタイム解析システム。